(57)【要約】【課題】ならし運転やスプレー洗浄運転を行う際、排水トレイに水が留らないようにし、ならし運転やスプレー洗浄運転後の排水トレイの取り扱いを容易にする。【解決手段】インスツルメントホルダ２には、排唾管又はバキューム管を含む歯科治療用インスツルメント３が載置されており、この載置されたインスツルメント３の先端の下部には、排水トレイ１０が着脱自在に装着され、インスツルメント３がならし運転やスプレー運転された時に、該インスツルメントから排出される排水を受け入れる。インスツルメントホルダ２は排水トレイ１０が装着されたことを検出するトレイ検出センサ１３を有し、該排水トレイ１０が装着されかつ排唾管又はバキューム管３1がインスツルメントホルダ２から取り上げられかつ吸引動作が開始されている時にのみ、インスツルメント３2のならし運転やスプレー洗浄運転を可能にした。【選択図】図１
2007151669.tif 000002
【特許請求の範囲】
【請求項１】
排唾管又はバキューム管を含む複数本の歯科治療用インスツルメントを並列に載置する水平式のインスツルメントホルダと、前記並列に載置されたインスツルメントの先端に着脱自在に装着され、前記インスツルメントから排出される洗浄水を受ける排水トレイとから成り、前記インスツルメントホルダは前記排水トレイが装着されたことを検出するトレイ検出センサを有し、該排水トレイが装着されており、かつ、前記排唾管又はバキューム管が前記インスツルメントホルダから取り上げられかつ吸引が始まっている時にのみ、インスツルメントのならし運転，スプレー洗浄運転を可能にしたことを特徴とする歯科用インスツルメントホルダ。
【請求項２】
前記排水トレイの上部には、前記排唾管又はバキューム管を挿入するための開口を有し、該開口に前記排唾管又はバキューム管が挿入されている時に、インスツルメントのならし運転，スプレー洗浄運転を可能にしたことを特徴とする請求項１に記載の歯科用インスツルメントホルダ。
【請求項３】
前記インスツルメントホルダは、出入自在であり、前記排水トレイを取り外した時に、前記インスツルメントホルダが自動的に前面に出てくることを特徴とする請求項１又は２に記載の歯科用インスツルメントホルダ。
【発明の詳細な説明】
【技術分野】
【０００１】
本発明は、歯科用インスツルメントホルダ、より詳細には、インスツルメントホルダに載置されているインスツルメントをならし運転したりスプレー洗浄運転する時に、これらインスツルメントから放出される排水を受ける排水トレイに排水が留らないようにし、これらならし運転やスプレー洗浄運転をした後の排水トレイの持ち運びを容易にしたものである。
【背景技術】
【０００２】
図２は、排水トレイを有するインスツルメントホルダの一例を説明するための要部概略構成図で、図中、１はワークテーブル、２はワークテーブル１の下部に配設されたインスツルメントホルダ、３はインスツルメント、４はインスツルメント３にエアー、水、電気等を供給するためのインスツルメントホースで、インスツルメントホルダ２の上には歯科治療に用いる多数本のインスツルメント、例えば、排唾管やバキューム管を含むエアータービン、マイクロエンジン、スケーラ、シリンジ等のインスツルメント３が横置き式に載置されており、歯科治療に当り、術者は、これらインスツルメントの中から歯科治療に必要なインスツルメントを引き出して使用する。
【０００３】
１０は排水トレイで、該排水トレイ１０は、インスツルメントホルダ２に着脱自在に装着可能になっており、該排水トレイ１０を、図示のように、インスツルメントホルダ２に装着した状態で、エアータービンやマイクロエンジンのならし運転をしたり、インスツルメントホース４内の水を入れ替えるスプレー洗浄運転を行っている。
【発明の開示】
【発明が解決しようとする課題】
【０００４】
排水トレイ１０は、前述のように、インスツルメントのならし運転やスプレー洗浄運転によって、インスツルメントから排出される水を受け入れるものであり、これらならし運転やスプレー洗浄運転が終了した後に、アシスタントは、該排水トレイを、インスツルメントホルダから取り外し、中に留った排水を捨てるために流しまで運ぶが、その際、中に留った排水を零（こぼ）すことがあり、不便であった。
【０００５】
本発明は、上述のごとき実情に鑑みてなされたもので、インスツルメントのならし運転やスプレー洗浄運転をした時に、排水トレイに水が留らないようにし、ならし運転やスプレー運転後の排水トレイの取り扱いを容易にすることを目的としてなされたものである。
【課題を解決するための手段】
【０００６】
請求項１の発明は、排唾管又はバキューム管を含む複数本の歯科治療用インスツルメントを並列に載置する水平式のインスツルメントホルダと、前記並列に載置されたインスツルメントの先端に着脱自在に装着され、前記インスツルメントから排出される洗浄水を受ける排水トレイとから成り、前記インスツルメントホルダは前記排水トレイが装着されたことを検出するトレイ検出センサを有し、該排水トレイが装着されており、かつ、前記排唾管又はバキューム管が前記インスツルメントホルダから取り上げられかつ吸引が始まっている時にのみ、インスツルメントのならし運転，スプレー洗浄運転を可能にしたことを特徴としたものである。
【０００７】
請求項２の発明は、請求項１の発明において、前記排水トレイの上部には、前記排唾管又はバキューム管を挿入するための開口を有し、該開口に前記排唾管又はバキューム管が挿入されている時に、インスツルメントのならし運転，スプレー洗浄運転を可能にしたことを特徴としたものである。
【０００８】
請求項３の発明は、請求項１又は２の発明において、前記インスツルメントホルダは、出入自在であり、前記排水トレイを取り外した時に、前記インスツルメントホルダが自動的に前面に出てくることを特徴としたものである。
【発明の効果】
【０００９】
本発明によると、ならし運転やスプレー洗浄運転をした後に、排水トレイに水が留らないので、排水トレイの持ち運びが非常に楽になった。
【発明を実施するための最良の形態】
【００１０】
図１は、本発明による歯科用インスツルメントホルダの一実施例を説明するための概略斜視図で、図１（Ａ）において、１はワークテーブル、２は該ワークテーブル１の下部に該ワークテーブル１と一体的に設けられたインスツルメントホルダで、該インスツルメントホルダ２には、周知のように、排唾管（ユニットによっては排唾管が付いていないケースもある）又はバキューム管を含む多数本のインスツルメント３が横置式に並列に載置されている。１０はワークテーブル１又はインスツルメントホルダ２に着脱自在に装着される排水トレイで、図示例の場合、排水トレイ１０の両外側部に設けられた凹（溝）部１１とワークテーブル１の両内側部に設けられた凸（突起）部１２が係合可能となっており、排水トレイ１０を矢印Ａ方向に押して該排水トレイ１０に設けられた凹部１１をワークテーブル１に設けられた凸部１２と係合させることによって、排水トレイ１０をワークテーブル（インスツルメントホルダ）１に装着することができ、逆方向に引き抜くことによって、ワークテーブル（インスツルメントホルダ）から離脱することができる。
【００１１】
ワークテーブル１（又はインスツルメントホルダ２）には、排水トレイ１０が装着されたことを検知するセンサ（光センサ、磁気センサ、マイクロスイッチ等、何でもよい）１３が設けられており、このセンサ１３が作動しない限り、更には、排唾管又はバキューム管がインスツルメントホルダ２から取り上げられかつ吸引が開始されていない限り、ならし運転やスプレー運転はできないようになっている。インスツルメントホルダ２には、通常、各インスツルメント毎に当該インスツルメントが取り上げられたかどうかを検出するセンサが付いており、取り上げられたインスツルメントに対する制御（例えば、当該インスツルメントに対するエアー供給回路、水供給回路、電気回路等の形成）が開始され、当該インスツルメントが駆動されるようになっている。
【００１２】
従って、ならし運転やスプレー洗浄運転を開始するに先立って、インスツルメントホルダ２に排水トレイ１０が装着されたこと、及び、排唾管又はバキューム管がインスツルメントホルダ２から取り上げられかつ吸引動作が開始されたことを確認し、これらの条件が整った後に、ならし運転やスプレー洗浄運転をするようにすると、排水トレイ内に排水が留るようなことはなく、ならし運転やスプレー洗浄運転後の排水トレイの取り扱いが非常に楽になる。
【００１３】
更には、図１（Ｂ）に示すように、排水トレイ１０の上部に、排唾管又はバキューム管を挿通する開口１０ａを設けておき、この開口１０ａを通して排唾管又はバキューム管３1の先端（吸気口）を排水トレイ１０内に入れるようにすると、排唾管又はバキューム管を排水トレイ１０に安定して保持させることができ、排水を確実に行うことができる。その際、インスツルメントホルダ２側に、排唾管又はバキューム管が該インスツルメントホルダの開口に挿入したことを検知するセンサを設けておき、このセンサが排唾管又はバキューム管を検出したことも条件として、他のインスツルメント、例えば、エアータービン、マイクロエンジン等のインスツルメント３2のならし運転やスプレー洗浄運転を可能にすると、より確実に、ならし運転やスプレー洗浄運転を行うことができる。
【００１４】
なお、図１には、ならし運転用の操作スイッチ１４、及び、スプレー用の操作スイッチ１５がワークテーブル１の前面に設けられている例を示したが、これらの操作スイッチは、アシスタントが操作しやすい場所ならどこでもよい。
【００１５】
ワークテーブル１（又はインスツルメントホルダ２）には表示パネル１６が設けられており、前述の条件が整わない状態で、操作スイッチ１４又は１５が操作された時に、該表示パネル１６には、例えば、“排水トレイを装着して下さい”，“排唾管又はバキューム管を装着して下さい”，“排唾管又はバキューム管を駆動して下さい”等の表示がなされ、アシスタントに注意を促す。同時に、又は表示パネルと関係なく、音声で同様の注意を促し、不慣れなアシスタントにも十分対応可能となっている。
【００１６】
更には、歯科治療に当り、術者は、ワークテーブルの前で種々の作業を行うが、その際、インスツルメントが前面に突き出されていると、術者の手がインスツルメントの先端についている刃具に触れてしまい怪我をする等の恐れがある。また、治療を受けるに先立って、患者は治療椅子に座るが、その際、これらのインスツルメントが目に入り、恐怖感を覚えることがある。このようなことを考慮して、インスツルメントホルダ２は、常時は、ワークテーブル１の奥の方に引き込まれており、できるだけ術者の手が触れたり、患者の目に触れないようにしているが、非使用時には、前述の排水トレイをインスツルメントの前に装着しておき、治療作業時に取り外すようにすると、前述のごとき、術者が傷ついたり、患者に不安感を与えるようなことはない。
【００１７】
図１において、スイッチ１７はインスツルメントホルダを出し入れするためのもので、インスツルメントホルダ２がワークテーブル１の奥の方に引っ込んでいる時に、該スイッチ１７を押すとインスツルメントホルダが出て来、出ている時に押すと引っ込むように（出入自在に）なっているが、それに加えて、前述の排水トレイ１０を取り外した時に、インスツルメントホルダ２が自動的（電気式、油圧式、エアー式等いずれでもよい）に出てくるようにしておけば、使い勝手のよいものとなる。
【図面の簡単な説明】
【００１８】
【図１】本発明による歯科用アシスタントホルダの一実施例を説明するための要部概略構成図である。
【図２】スプレー用の排水トレイを備えた従来の歯科用インスツルメントホルダの例を説明するための要部概略構成図である。
【符号の説明】
【００１９】
１…ワークテーブル、２…インスツルメントホルダ、３…インスツルメント、３1…排唾管又はバキューム管、３2…エアータービン，マイクロエンジン等のインスツルメント、４…インスツルメントホース、１０…排水トレイ、１１…凹（溝）部、１２…凸部（突起）、１３…センサ、１４，１５…操作スイッチ、１６…表示パネル。
【図１】
2007151669.tif 000003
【図２】
2007151669.tif 000004